(57)【要約】【課題】  トランスファフィンガー用シミュレーション装置において、簡素かつ小重量化し、可搬性を向上させるとともに、各フィンガーとプレス機或いは上型との干渉の有無を簡易かつ短時間に検証すること。【解決手段】  トランスファフィンガー用シミュレーション装置１００であって、上型と下型の間に介装され、上型の上死点側の一定位置にセットする上型固定ポスト４０を有するとともに、実際のプレス機におけるボルスタ上の下型１に対する一定の方向視に直交する検証平面（Ｆ）上で、トランスファ装置の各フィードバーに取付けられた各フィンガーが実際の移動軌跡（Ｍ）に沿って移動し、ある移動位置にあるときの、下型１に対する上型の昇降位置を、横軸に該フィンガーの移動位置をとり、縦軸に上型の昇降位置をとって表わした上型干渉曲線（Ｋ）を備えた上型干渉検出定規６０を有してなるもの。【選択図】  図３
2017136637.tif 000002
【特許請求の範囲】
【請求項１】
プレス機に設置されるトランスファ装置の一対のフィードバーに取付けられた各フィンガーが、ボルスタ上の下型に対して昇降する上型の下方で、該下型に対し、一定の移動軌跡に沿って移動するトランスファ動作を、プレス機から離れて模擬的に検証可能にするトランスファフィンガー用シミュレーション装置であって、
下型がセットされる擬似ボルスタと、
上型と下型の間に介装され、上型を下型に対する昇降ストロークの上死点側の一定位置にセットする上型固定ポストと、
擬似ボルスタの上部に互いに平行に配置され、かつ互いに接近又は離隔する方向へ移動可能に配置される２本の擬似フィードバーと、
実際のプレス機におけるボルスタ上の下型に対する一定の方向視に直交する検証平面上で、トランスファ装置の各フィードバーに取付けられた各フィンガーが実際の移動軌跡に沿って移動し、ある移動位置にあるときの、下型に対する上型の昇降位置を、横軸に該フィンガーの移動位置をとり、縦軸に上型の昇降位置をとって表わした上型干渉曲線を備えた上型干渉検出定規とを有し、
２本の擬似フィードバーに取付けられた各フィンガーが、擬似ボルスタ上の下型に対して実際の移動軌跡に倣って移動するときに、該実際の移動軌跡の基準点となる位置を模した位置に設定されるシミュレーション状態下で、
前記上型干渉検出定規の上型干渉曲線における各フィンガーの実際の移動軌跡の基準点に対応することとなる部位が上記シミュレーション状態下の各フィンガーに保持され、かつ該上型干渉検出定規の上型干渉曲線を含む平面が実際のプレス機におけるトランスファ装置の上記検出平面に対応することとなる面上に配置されてなるトランスファフィンガー用シミュレーション装置。
【請求項２】
プレス機に設置されるトランスファ装置の一対のフィードバーに取付けられた各フィンガーが、ボルスタ上の下型に対して昇降する上型の下方で、該下型の上面に位置する加工品に対する待機位置と、該加工品をクランプするクランプ位置もしくは該加工品をアンクランプするアンクランプ位置との間でクランプストローク方向に移動するトランスファ動作を、プレス機から離れて模擬的に検証可能にするトランスファフィンガー用シミュレーション装置であって、
下型がセットされる擬似ボルスタと、
上型と下型の間に介装され、上型を下型に対する昇降ストロークの上死点側の一定位置にセットする上型固定ポストと、
擬似ボルスタの上部に互いに平行に配置され、かつ互いに接近又は離隔する方向へ移動可能に配置される２本の擬似フィードバーと、
実際のプレス機におけるボルスタ上の下型に対し、トランスファ装置の各フィードバーの長手方向に沿う水平方向視に直交する検証平面上で、各フィードバーに取付けられた各フィンガーが実際の移動軌跡に沿って移動し、待機位置と、クランプ位置もしくはアンクランプ位置との間のクランプストローク位置にあるときの、下型に対する上型の昇降位置を、横軸に該フィンガーのクランプストローク位置をとり、縦軸に上型の昇降位置をとって表わした上型干渉曲線を備えた上型干渉検出定規とを有し、
２本の擬似フィードバーに取付けられた各フィンガーが、擬似ボルスタ上の下型に対して実際の移動軌跡に倣って移動するときに、該実際の移動軌跡の基準点となる位置を模した位置に設定されるシミュレーション状態下で、
前記上型干渉検出定規の上型干渉曲線における各フィンガーの実際の移動軌跡の基準点に対応することとなる部位が上記シミュレーション状態下の各フィンガーに保持され、かつ該上型干渉検出定規の上型干渉曲線を含む平面が実際のプレス機におけるトランスファ装置の上記検証平面に対応することとなる面上に配置されてなるトランスファフィンガー用シミュレーション装置。
【請求項３】
プレス機に設置されるトランスファ装置の一対のフィードバーに取付けられた各フィンガーが、ボルスタ上の下型に対して昇降する上型の下方で、該下型の上面に位置する加工品を当該加工品に対するクランプ位置でクランプし、該加工品をフィードストローク方向とリフトアップ方向とを含む送り方向に沿って下工程への排出位置に移動するトランスファ動作と、或いは前工程からの投入位置でクランプ状態にある加工品をフィードストローク方向とリフトダウン方向とを含む送り方向に沿って移動して該加工品を該下型の上面に位置付け、該加工品を当該加工品に対するアンクランプ位置でアンクランプするトランスファ動作とを、プレス機から離れて模擬的に検証可能にするトランスファフィンガー用シミュレーション装置であって、
下型がセットされる擬似ボルスタと、
上型と下型の間に介装され、上型を下型に対する昇降ストロークの上死点側の一定位置にセットする上型固定ポストと、
擬似ボルスタの上部に互いに平行に配置され、かつ互いに接近又は離隔する方向へ移動可能に配置される２本の擬似フィードバーと、
実際のプレス機におけるボルスタ上の下型に対し、トランスファ装置の各フィードバーの長手方向に直交する水平方向視に直交する検証平面上で、各フィードバーに取付けられた各フィンガーが実際の移動軌跡に沿って移動し、クランプ位置と排出位置との間のフィードストローク位置にあり、或いは投入位置とアンクランプ位置との間のフィードストローク位置にあるときの、下型に対する上型の昇降位置を、横軸にフィードストローク位置をとり、縦軸に上型の昇降位置をとって表わした上型干渉曲線を備えた上型干渉検出定規とを有し、
２本の擬似フィードバーに取付けられた各フィンガーが、擬似ボルスタ上の下型に対して実際の移動軌跡に倣って移動するときに、該実際の移動軌跡の基準点となる位置を模した位置に設定されるシミュレーション状態下で、
前記上型干渉検出定規の上型干渉曲線における各フィンガーの実際の移動軌跡の基準点に対応することとなる部位が上記シミュレーション状態下の各フィンガーに保持され、かつ該上型干渉検出定規の上型干渉曲線を含む平面が実際のプレス機におけるトランスファ装置の上記検証平面に対応することとなる面上に配置されてなるトランスファフィンガー用シミュレーション装置。
【請求項４】
前記上型干渉検出定規が、上型干渉曲線上の各点から該上型干渉検出定規の上型干渉曲線を含む平面に直交する方向に直進して拡がらない検出光を投射させる検出光投射装置を備えてなる請求項１乃至３のいずれかに記載のトランスファフィンガー用シミュレーション装置。
【発明の詳細な説明】
【技術分野】
【０００１】
本発明はトランスファフィンガー用シミュレーション装置に関する。
【背景技術】
【０００２】
本発明のトランスファフィンガー用シミュレーション装置が適用されるプレス機では、プレス機に設置されるトランスファ装置の一対のフィードバーに取付けられた各フィンガーが、ボルスタ上の下型に対して昇降する上型の下方で、該下型に対し、一定の移動軌跡に沿って移動するトランスファ動作を、プレス機から離れて模擬的に検証可能にするものである。
【０００３】
従来のトランスファフィンガー用シミュレーション装置は、特許文献１に記載の如く、下型がセットされる擬似ボルスタと、擬似ボルスタの上部に互いに平行に配置され、かつ互いに接近又は離隔する方向へ移動可能に配置される２本の擬似フィードバーと、各擬似フィードバーに取付けられたフィンガーを、実際のプレス機におけるトランスファ装置と同様に、下型の上面に位置する加工品に対してクランプストローク方向に移動させる第１駆動部を有するとともに、擬似ボルスタ上の下型に対して加工品のフィードストローク方向とリフトアップ方向のそれぞれに移動させる第２駆動部と第３駆動部とを有するものとし、フィンガーが擬似ボルスタ上の下型に対して上述の如くに移動するトランスファ動作中に、該フィンガーがプレス機或いは下型に干渉することの有無を検証しようとしている。
【０００４】
ところで、トランスファフィンガー用シミュレーション装置では、実際のプレス機において上型が下型に対して昇降している動作中に、トランスファ装置のフィンガーが、クランプストローク方向に移動したり、或いは、フィードストローク方向とリフトアップ方向に移動する過程で、該フィンガーがプレス機或いは上型に干渉することの有無を検証しようとするならば、実際のプレス機におけると同様に、上型を下型に対する昇降ストローク方向に昇降させる昇降駆動部を有することも必要になる。
【０００５】
このようなトランスファフィンガー用シミュレーション装置では、２本の擬似フィードバーに取付けられた各フィンガーを、第１駆動部によりクランプストローク方向に移動し、第２駆動部と第３駆動部によりフィードストローク方向とリフトアップ方向に移動させつつ、昇降駆動部により、上型を実際のプレス機におけると同様にして下型に対して昇降させるものになる。このとき、第１駆動部乃至第３駆動部による各フィンガーの移動タイミングと、昇降駆動部による上型の昇降タイミングとの相対関係は、実際のプレス機におけるトランスファ装置の各フィンガーと上型とがなす相対移動タイミングを模するものとされる。これにより、クランプストローク方向に移動し、或いはフィードストローク方向とリフトアップ方向に移動する各フィンガーがその移動中に、プレス機或いは昇降する上型に干渉したり、或いは各工程で加工される加工品をクランプできない等を検証できる。
【先行技術文献】
【特許文献】
【０００６】
【特許文献１】特許3919707号公報
【発明の概要】
【発明が解決しようとする課題】
【０００７】
前述のトランスファフィンガー用シミュレーション装置は、各擬似フィードバーに取付けられた各フィンガーを実際のプレス機におけるトランスファ装置と同様となるクランプストローク方向に移動させ、或いはフィードストローク方向とリフトアップ方向に移動させ、かつ上型を実際のプレス機におけると同様に昇降させて、各フィンガーとプレス機或いは上型との干渉の有無を検証するものであるために、各フィンガーを移動させる第１駆動部乃至第３駆動部と、上型を昇降させる昇降駆動部の４個の駆動部を具備する必要があり、複雑かつ大重量化し、可搬性も悪い。
【０００８】
また、各フィンガーを実際のプレス機におけるトランスファ装置と同様となるクランプストローク方向に移動させ、或いはフィードストローク方向とリフトアップ方向に移動させ、かつ上型を実際のプレス機におけると同様に昇降させつつ、各フィンガーとプレス機或いは上型との干渉の有無をそれらの干渉に起因するそれらの衝突が現実に発生する直前に検証し、この検証に伴う各フィンガーとプレス機或いは上型の損傷を回避する必要があり、検証作業は煩雑かつ長時間を要するものになる。
【０００９】
本発明の課題は、トランスファフィンガー用シミュレーション装置において、簡素かつ小重量化し、可搬性を向上させるとともに、各フィンガーとプレス機或いは上型との干渉の有無を簡易かつ短時間に検証することにある。
【課題を解決するための手段】
【００１０】
請求項１に係る発明は、プレス機に設置されるトランスファ装置の一対のフィードバーに取付けられた各フィンガーが、ボルスタ上の下型に対して昇降する上型の下方で、該下型に対し、一定の移動軌跡に沿って移動するトランスファ動作を、プレス機から離れて模擬的に検証可能にするトランスファフィンガー用シミュレーション装置であって、下型がセットされる擬似ボルスタと、上型と下型の間に介装され、上型を下型に対する昇降ストロークの上死点側の一定地位にセットする上型固定ポストと、擬似ボルスタの上部に互いに平行に配置され、かつ互いに接近又は離隔する方向へ移動可能に配置される２本の擬似フィードバーと、実際のプレス機におけるボルスタ上の下型に対する一定の方向視に直交する検証平面上で、トランスファ装置の各フィードバーに取付けられた各フィンガーが実際の移動軌跡に沿って移動し、ある移動位置にあるときの、下型に対する上型の昇降位置を、横軸に該フィンガーの移動位置をとり、縦軸に上型の昇降位置をとって表わした上型干渉曲線を備えた上型干渉検出定規とを有し、２本の擬似フィードバーに取付けられた各フィンガーが、擬似ボルスタ上の下型に対して実際の移動軌跡に倣って移動するときに、該実際の移動軌跡の基準点となる位置を模した位置に設定されるシミュレーション状態下で、前記上型干渉検出定規の上型干渉曲線における各フィンガーの実際の移動軌跡の基準点に対応することとなる部位が上記シミュレーション状態下の各フィンガーに保持又は当て止めされ、かつ該上型干渉検出定規の上型干渉曲線を含む平面が実際のプレス機におけるトランスファ装置の上記検出平面に対応することとなる面上に配置されてなるようにしたものる。
【００１１】
請求項２に係る発明は、プレス機に設置されるトランスファ装置の一対のフィードバーに取付けられた各フィンガーが、ボルスタ上の下型に対して昇降する上型の下方で、該下型の上面に位置する加工品に対する待機位置と、該加工品をクランプするクランプ位置もしくは該加工品をアンクランプするアンクランプ位置との間でクランプストローク方向に移動するトランスファ動作を、プレス機から離れて模擬的に検証可能にするトランスファフィンガー用シミュレーション装置であって、下型がセットされる擬似ボルスタと、上型と下型の間に介装され、上型を下型に対する昇降ストロークの上死点側の一定位置にセットする上型固定ポストと、擬似ボルスタの上部に互いに平行に配置され、かつ互いに接近又は離隔する方向へ移動可能に配置される２本の擬似フィードバーと、実際のプレス機におけるボルスタ上の下型に対し、トランスファ装置の各フィードバーの長手方向に沿う水平方向視に直交する検証平面上で、各フィードバーに取付けられた各フィンガーが実際の移動軌跡に沿って移動し、待機位置と、クランプ位置もしくはアンクランプ位置との間のクランプストローク位置にあるときの、下型に対する上型の昇降位置を、横軸に該フィンガーのクランプストローク位置をとり、縦軸に上型の昇降位置をとって表わした上型干渉曲線を備えた上型干渉検出定規とを有し、２本の擬似フィードバーに取付けられた各フィンガーが、擬似ボルスタ上の下型に対して実際の移動軌跡に倣って移動するときに、該実際の移動軌跡の基準点となる位置を模した位置に設定されるシミュレーション状態下で、前記上型干渉検出定規の上型干渉曲線における各フィンガーの実際の移動軌跡の基準点に対応することとなる部位が上記シミュレーション状態下の各フィンガーに保持又は当て止めされ、かつ該上型干渉検出定規の上型干渉曲線を含む平面が実際のプレス機におけるトランスファ装置の上記検証平面に対応することとなる面上に配置されてなるようにしたものである。
【００１２】
請求項３に係る発明は、プレス機に設置されるトランスファ装置の一対のフィードバーに取付けられた各フィンガーが、ボルスタ上の下型に対して昇降する上型の下方で、該下型の上面に位置する加工品を当該加工品に対するクランプ位置でクランプし、該加工品をフィードストローク方向とリフトアップ方向とを含む送り方向に沿って下工程への排出位置に移動するトランスファ動作と、或いは前工程からの投入位置でクランプ状態にある加工品をフィードストローク方向とリフトダウン方向とを含む送り方向に沿って移動して該加工品を該下型の上面に位置付け、該加工品を当該加工品に対するアンクランプ位置でアンクランプするトランスファ動作とを、プレス機から離れて模擬的に検証可能にするトランスファフィンガー用シミュレーション装置であって、下型がセットされる擬似ボルスタと、上型と下型の間に介装され、上型を下型に対する昇降ストロークの上死点側の一定位置にセットする上型固定ポストと、擬似ボルスタの上部に互いに平行に配置され、かつ互いに接近又は離隔する方向へ移動可能に配置される２本の擬似フィードバーと、実際のプレス機におけるボルスタ上の下型に対し、トランスファ装置の各フィードバーの長手方向に直交する水平方向視に直交する検証平面上で、各フィードバーに取付けられた各フィンガーが実際の移動軌跡に沿って移動し、クランプ位置と排出位置との間のフィードストローク位置にあり、或いは投入位置とアンクランプ位置との間のフィードストローク位置にあるときの、下型に対する上型の昇降位置を、横軸にフィードストローク位置をとり、縦軸に上型の昇降位置をとって表わした上型干渉曲線を備えた上型干渉検出定規とを有し、２本の擬似フィードバーに取付けられた各フィンガーが、擬似ボルスタ上の下型に対して実際の移動軌跡に倣って移動するときに、該実際の移動軌跡の基準点となる位置を模した位置に設定されるシミュレーション状態下で、前記上型干渉検出定規の上型干渉曲線における各フィンガーの実際の移動軌跡の基準点に対応することとなる部位が上記シミュレーション状態下の各フィンガーに保持又は当て止めされ、かつ該上型干渉検出定規の上型干渉曲線を含む平面が実際のプレス機におけるトランスファ装置の上記検証平面に対応することとなる面上に配置されてなるようにしたものである。
【００１３】
請求項４に係る発明は、請求項１乃至３のいずれかに係る発明において更に、前記上型干渉検出定規が、上型干渉曲線上の各点から該上型干渉検出定規の上型干渉曲線を含む平面に直交する方向に直進して拡がらない検出光を投射させる検出光投射装置を備えてなるようにしたものである。
【発明の効果】
【００１４】
（請求項１）
(a)上型干渉検出定規の上型干渉曲線を含む平面に直交し、かつ擬似ボルスタ上の下型に対する前述した一定の方向視で、該上型干渉検出定規の上型干渉曲線に干渉する干渉物の有無を視認できる。これにより、実際のプレス機におけるトランスファ装置において、各フィンガーが実際の移動軌跡上を移動するトランスファ動作中に、該フィンガー又は該フィンガーにクランプされた加工品がプレス機或いは上型に干渉したり、或いは各工程で加工される加工品をクランプできない等を検証できる。
【００１５】
干渉物の存在が認められる場合には、各フィンガーのフィードバーへの取付位置や寸法を上型に合わせるように変更したり、上型やフィンガーの一部を削除する等が行なわれる。
【００１６】
(b)各擬似フィードバーに取付けられた各フィンガーを実際のプレス機におけるトランスファ装置のトランスファ動作と同様に移動させるものでなく、各フィンガーを移動する第１乃至第３の３個の駆動部、及び上型を昇降する昇降駆動部を具備する必要がないから、シミュレーション装置は簡素かつ小重量化され、可搬性を向上できる。
【００１７】
(c)上型干渉検出定規の上型干渉曲線における各フィンガー又は該フィンガーにクランプされた加工品の実際の移動軌跡の基準点に対応することとなる部位を、シミュレーション状態下の各フィンガー又は該フィンガーにクランプされた加工品に保持又は当て止めし、この上型干渉検出定規の上型干渉曲線に干渉する干渉物の有無を視認するだけで、各フィンガー又は該フィンガーにクランプされた加工品とプレス機或いは上型との干渉の有無を検証できる。従って、検証作業を簡易かつ短時間に行なうことができる。
【００１８】
（請求項２）
(d)上型干渉検出定規の上型干渉曲線を含む平面に直交し、かつ擬似フィードバーの長手方向に沿う水平方向視で、該上型干渉検出定規の上型干渉曲線に干渉する干渉物の有無を視認できる。これにより、実際のプレス機におけるトランスファ装置において、各フィンガーが待機位置と、クランプ位置もしくはアンクランプ位置との間でクランプストローク方向に移動し、かつ上型が下型に対して昇降する動作中に、該フィンガーがプレス機或いは上型に干渉したり、或いは各工程で加工される加工品をクランプできない等を検証できる。
【００１９】
干渉物の存在が認められる場合には、各フィンガーのフィードバーへの取付位置や寸法を上型に合わせるように変更したり、上型やフィンガーの一部を削除する等が行なわれる。
【００２０】
(e)各擬似フィードバーに取付けられた各フィンガーを実際のプレス機におけるトランスファ装置と同様となる待機位置と、クランプ位置もしくはアンクランプ位置との間で移動させ、かつ上型を実際のプレス機におけると同様に昇降させるものでなく、各フィンガーを移動させる第１駆動部と上型を昇降させる昇降駆動部の少なくとも２個の駆動部を具備する必要がないから、シミュレーション装置は簡素かつ小重量化され、可搬性を向上できる。
【００２１】
(f)上型干渉検出定規の上型干渉曲線における各フィンガーの実際の移動軌跡の基準点に対応することとなる部位を、シミュレーション状態下の各フィンガーに保持し、この上型干渉検出定規の上型干渉曲線に干渉する干渉物の有無を視認するだけで、各フィンガーとプレス機或いは上型との干渉の有無を検証できる。従って、検証作業を簡易かつ短時間に行なうことができる。
【００２２】
（請求項３）
(g)上型干渉検出定規の上型干渉曲線を含む平面に直交し、かつ擬似フィードバーの長手方向に直交する水平方向視で、該上型干渉検出定規の上型干渉曲線に干渉する干渉物の有無を視認できる。これにより、実際のプレス機におけるトランスファ装置において、各フィンガー又は該フィンガーにクランプされた加工品がクランプ位置と排出位置との間、或いは投入位置とアンクランプ位置との間でフィードストローク方向とリフトアップ方向に移動し、かつ上型が下型に対して昇降する動作中に、該フィンガー又は該フィンガーにクランプされた加工品がプレス機或いは上型に干渉したり、或いは各工程で加工される加工品を所定位置に搬送することができない等を検証できる。
【００２３】
干渉物の存在が認められる場合には、各フィンガーのフィードバーへの取付位置や寸法を上型に合わせるように変更したり、上型やフィンガーの一部を削除する等が行なわれる。
【００２４】
(h)各擬似フィードバーに取付けられた各フィンガー又は該フィンガーにクランプされた加工品を実際のプレス機におけるトランスファ装置と同様となるクランプ位置と排出位置との間、或いは投入位置とアンクランプ位置との間で移動させ、かつ上型を実際のプレス機におけると同様に昇降させるものでなく、各フィンガーを移動させる第２駆動部及び第３駆動部と、上型を昇降させる昇降駆動部の少なくとも３個の駆動部を具備する必要がないから、シミュレーション装置は簡素かつ小重量化され、可搬性を向上できる。
【００２５】
(i)上型干渉検出定規の上型干渉曲線における各フィンガー又は該フィンガーにクランプされた加工品の実際の移動軌跡の基準点に対応することとなる部位を、シミュレーション状態下の各フィンガー又は該フィンガーにクランプされた加工品に保持又は当て止めし、この上型干渉検出定規の上型干渉曲線に干渉する干渉物の有無を視認するだけで、各フィンガー又は該フィンガーにクランプされた加工品とプレス機或いは上型との干渉の有無を検証できる。従って、検証作業を簡易かつ短時間に行なうことができる。
【００２６】
（請求項４）
(j)上型干渉検出定規に設けた検出光投射装置が、上型干渉曲線上の各点から該上型干渉検出定規の上型干渉曲線を含む平面に直交する方向に直進して拡がらない検出光を投射させる。従って、検出光投射装置が投射した検出光を遮断する物体があれば、この物体が上述(a)、(d)、(g)で上型干渉検出定規の上型干渉曲線に干渉する干渉物であり、この干渉物における検出光の遮断部分が干渉部分であることも簡易かつ高精度に検出できる。
【図面の簡単な説明】
【００２７】
【図１】図１はシミュレーション装置を示す模式斜視図である。
【図２】図２は下型と上型を配置したシミュレーション装置の擬似フィードバーの長手方向に沿う水平方向視の模式正面図である。
【図３】図３は下型と上型を配置したシミュレーション装置において擬似フィードバーの長手方向に沿う水平方向視に直交する検証平面上に、下工程の加工品アンクランプ位置からクランプストローク方向に沿って待機位置へ移動するフィンガーの上型との干渉の有無を検証する上型干渉曲線を備えた上型干渉検出定規を配置して示す模式正面図である。
【図４】図４はプレス機の１サイクルにおけるフィンガーのクランプストロークと上型の昇降ストロークの相対関係を表わしたプレスチャートに基づいて作成した上型干渉曲線を示す線図である。
【図５】図５は検出光投射装置を備えた上型干渉検出定規を示す模式図である。
【図６】図６は下型と上型を配置したシミュレーション装置において擬似フィードバーの長手方向に直交する水平方向視に直交する検証平面上に、前工程のクランプ位置（Ｘc）と排出位置（Ｙa）との間、或いは下工程の投入位置（Ｙb）とアンクランプ位置（Ｘu）との間でフィードストローク方向（Ｙ）とリフトアップ方向（Ｕ）もしくはリフトダウン方向（Ｌ）に移動し、かつ上型２が下型１に対して昇降する動作中における、フィンガーの上型との干渉の有無を検証する上型干渉曲線を備えた上型干渉検出定規を配置して示す模式正面図である。
【発明を実施するための形態】
【００２８】
図１、図２に示したトランスファフィンガー用シミュレーション装置１００は、プレス機に設置されるトランスファ装置の一対のフィードバーに取付けられた各フィンガーが、ボルスタ上の下型１に対し、一定の移動軌跡上を移動するトランスファ動作を、プレス機から離れて模擬的に検証可能にするものである。
【００２９】
尚、プレス機のトランスファ装置によるトランスファ動作では、図１に示す如く、各フィードバーに取付け各フィンガーが、(A)前工程のボルスタ上に位置する下型１に対して昇降する上型２の下方で、該下型１の上面に位置付けられた加工品Ｗに対して待機位置（Ｘ0）からクランプストローク方向（Ｘ）に沿ってクランプ位置（Ｘc）まで移動し、該加工品Ｗをクランプし、該加工品Ｗをリフトアップ方向（Ｕ）とフィードストローク方向（Ｙ）とを含む送り方向に沿って下工程への排出位置（Ｙa）の側へ排出させる。また、プレス機のトランスファ装置によるトランスファ動作では、図１に示す如く、各フィードバーに取付けられた各フィンガーが、(B)下工程のボルスタ上に位置する下型１に対して昇降する上型２の下方で、前工程から下工程への投入位置（Ｙb）に投入された加工品Ｗをフィードストローク方向（Ｙ）とリフトダウン方向（Ｌ）とを含む送り方向に沿って移動して該加工品Ｗを下型１の上面に位置付けるアンクランプ位置（Ｘu）まで移動して該加工品Ｗをアンクランプした後、このアンクランプ位置（Ｘu）からクランプストローク方向（Ｘ）に沿って待機位置（Ｘ0）に移動し、更には、フィードストローク方向（Ｙ）に沿って前工程の待機位置（Ｘ0）にまで戻る。本実施例では、上述(A)の下型１に対するトランスファ動作を第１のトランスファ動作と言い、上述(B)の下工程の下型１に対するトランスファ動作を第２のトランスファ動作というものとする。
【００３０】
シミュレーション装置１００は、下型１がセットされる擬似ボルスタ１０を有する。擬似ボルスタ１０は対象となるプレス機のボルスタを模したものである。擬似ボルスタ１０は、工場又はトラック荷台等の床面上に配置される矩形等の平板状をなし、下型１を位置決めして固定可能にするためのＸ方向とＹ方向に延在して互いに十字をなすように交差する取付溝１１を備える。
【００３１】
シミュレーション装置１００は、擬似ボルスタ１０の左右両端部に柱と梁とからなる左右の架台１２を立て、各架台１２の上部に設けた左右のガイドレール１３に、前後２本をなす各擬似フィードバー２０を載架している。擬似フィードバー２０は対象となるトランスファ装置のフィードバーを模したものであり、擬似フィードバー２０はプレス機で使用されるフィードバーと厚み、幅、長さ寸法を概ね同一としている。各擬似フィードバー２０は、擬似ボルスタ１０の上部にて互いに平行に配置され、かつガイドレール１３に沿って互いに接近又は離隔する方向へ移動可能に配置されている。
【００３２】
シミュレーション装置１００は、各擬似フィードバー２０の上面の複数位置のそれぞれに、プレス機で用いられて加工品Ｗをすくい上げ及び保持するフィンガーと同一のフィンガー３０を着脱できるバイス２１を備える。
【００３３】
シミュレーション装置１００は、下型１と上型２の間に介装され、上型２を下型１に対する昇降ストロークの上死点となる位置、又は上死点付近の一定位置となる位置にセットする上型固定ポスト４０を有する。本実施例の上型固定ポスト４０は、中空パイプ４１の下端面に孔あき下フランジ４２を備え、中空パイプ４１の上端面に上フランジ４３を備え、上フランジ４３の上面に突部４４を備える。４５は中空パイプ４１の外周に設けた取手である。そして、上型固定ポスト４０は、下型１の上面の４隅に設けられているガイドポスト１Ａに中空パイプ４１及び孔あき下フランジ４２を挿入し、該下フランジ４２の端面を下型１のガイドポスト１Ａまわりの上面に着座させる。また、上型固定ポスト４０は、上型２の下面の４隅に設けられているガイドブッシュ２Ａに突部４４を挿入し、上フランジ４３の端面を上型２のガイドブッシュ２Ａまわりの下面に着座させる。
【００３４】
しかるに、シミュレーション装置１００は、簡素かつ小重量化されるとともに、可搬性を向上され、実際のプレス機に設置されるトランスファ装置の各フィードバーに取付けられた各フィンガーのトランスファ動作を、以下の通りにより、プレス機から離れて模擬的に検証可能にする。この検証の結果、トランスファ装置に備える各フィンガーの各フィードバーへの取付位置や寸法を、各フィンガーの先端部による加工品Ｗのすくい上げ及び保持が適当となるように、下型１乃至上型２に対して適合させる作業を行なうことができる。
【００３５】
即ち、シミュレーション装置１００によるシミュレーション作業は、基本的には下記(1)乃至(3)による。
【００３６】
(1)シミュレーション装置１００が上型干渉検出定規５０（不図示）を有するものとする。
【００３７】
上型干渉検出定規５０は、平板状をなし、実際のプレス機におけるボルスタ上の下型１に対する一定の方向視（Ｒ）に直交する検証平面（Ｆ）上で、トランスファ装置の各フィードバーに取付けられた各フィンガーが移動する実際の移動軌跡（Ｍ）に沿って移動し、ある移動位置（Ｘi）にあるときの、下型１に対する上型の昇降位置（Ｚi）を、横軸に該フィンガーの移動位置（Ｘi）をとり、縦軸に上型２の昇降位置（Ｚi）をとって表わした上型干渉曲線（Ｋ）を備えるものとして作成される。
【００３８】
(2)シミュレーション装置１００において、擬似ボルスタ１０上の下型１、上型２、各擬似フィードバー２０、各フィンガー３０が、実際のプレス機のトランスファ装置を模したシミュレーション状態に設定される。
【００３９】
まず、擬似ボルスタ１０上にプレス機のボルスタ上におけると同一の配置で各シミュレーション対象工程の下型１をセットする（擬似ボルスタ１０は、本実施例では１個の下型１だけをセット可能にしている、但し、前工程と下工程の２個の下型１等、相隣る複数工程の複数個の下型１を相並ぶようにセットしても良い）。
【００４０】
また、擬似ボルスタ１０上にセットした下型１の上に上型固定ポスト４０を介して上型２をセットする。上型２は下型１に対する昇降ストロークの上死点（又は上死点付近の一定位置）となる位置にセットされる。
【００４１】
次に、２本の疑似フィードバー２０の上面上に、下型１上で加工する加工品Ｗに適した形状、寸法をなし、実際のトランスファ装置で用いられると同様のフィンガー３０を、２本の擬似フィードバー２０の間で互いに対向するように、かつ下型１の位置に対応するように取付ける。
【００４２】
そして、２本の擬似フィードバー２０に取付けられた各フィンガー３０が、擬似ボルスタ１０上の下型１に対して実際の移動軌跡（Ｍ）に倣って移動するとしたときに、該実際の移動軌跡（Ｍ）の基準点（Ｍ0）として想定した位置（例えば実際のプレス機におけるトランスファ装置の当該フィンガーが加工品Ｗをクランプするクランプ位置（Ｘc））を、シミュレーション装置１００内で模した位置に設定される。
【００４３】
各フィンガー３０が上記実際の移動軌跡（Ｍ）の基準点（Ｍ0）となる位置を模した位置に設定されたとき、シミュレーション装置１００はシミュレーション状態に設定されたものとする。
【００４４】
(3)上型干渉検出定規５０の上型干渉曲線（Ｋ）における各フィンガー３０の実際の移動軌跡（Ｍ）の基準点（Ｍ0）に対応することとなる部位（Ｋ0）（例えば実際のプレス機におけるトランスファ装置の当該フィンガーが加工品Ｗをクランプするクランプ位置（Ｘc））が、上記(2)のシミュレーション状態下の各フィンガー３０（各フィンガー３０の加工品Ｗをすくい上げ及び保持する先端部であって、上型２に干渉し易い部位）に保持又は当て止めされる。
【００４５】
同時に、上型干渉検出定規５０の上型干渉曲線（Ｋ）を含む平面６１（不図示）が、実際のプレス機におけるトランスファ装置の上記検証平面（Ｆ）（例えば実際のプレス機におけるトランスファ装置において各フィードバーの長手方向に沿う水平方向視（Ｒh）に直交する検証平面（Ｆ））に対応することとなる面（例えばシミュレーション装置１００において各擬似フィードバー２０の長手方向に沿う水平方向視（Ｒh）に直交する面）上に配置される。
【００４６】
従って、シミュレーション装置１００によれば以下の作用効果を奏する。
(a)上型干渉検出定規５０の上型干渉曲線（Ｋ）を含む平面５１に直交し、かつ擬似ボルスタ上の下型１に対する前述した一定の方向視で、該上型干渉検出定規５０の上型干渉曲線（Ｋ）に干渉する干渉物の有無を視認できる。
【００４７】
これにより、実際のプレス機におけるトランスファ装置において、各フィンガー（フィンガー３０）又は該フィンガー３０にクランプされた加工品が実際の移動軌跡上を移動するトランスファ動作中に、該フィンガー又は該フィンガー３０にクランプされた加工品がプレス機或いは上型に干渉したり、或いは各工程で加工される加工品をクランプできない等を検証できる。
【００４８】
干渉物の存在が認められる場合には、各フィンガー（フィンガー３０）のフィードバー（擬似フィードバー２０）への取付位置や寸法を上型に合わせるように変更したり、上型やフィンガー３０の一部を削除する等が行なわれる。
【００４９】
(b)各擬似フィードバー２０に取付けられた各フィンガー３０又は該フィンガー３０にクランプされた加工品を実際のプレス機におけるトランスファ装置のトランスファ動作と同様に移動させるものでなく、各フィンガー３０を移動する第１乃至第３の３個の駆動部、及び上型を昇降する昇降駆動部を具備する必要がないから、シミュレーション装置１００は簡素かつ小重量化され、可搬性を向上できる。
【００５０】
(c)上型干渉検出定規５０の上型干渉曲線（Ｋ）における各フィンガー３０又は該フィンガー３０にクランプされた加工品の実際の移動軌跡（Ｍ）の基準点（Ｍ0）に対応することとなる部位（Ｋ0）を、シミュレーション状態下の各フィンガー３０に保持又は当て止めし、この上型干渉検出定規５０の上型干渉曲線（Ｋ）に干渉する干渉物の有無を視認するだけで、実際のプレス機におけるトランスファ装置において、各フィンガー３０又は該フィンガー３０にクランプされた加工品とプレス機或いは上型２との干渉の有無を検証できる。従って、検証作業を簡易かつ短時間に行なうことができる。
【００５１】
以下、シミュレーション装置１００によるシミュレーション作業の具体的実施例について説明する。
【００５２】
（実施例１）（図３乃至図５）
実施例１は、プレス機のトランスファ装置における前述した第２のトランスファ動作で、各フィンガーが、下工程のボルスタ上の下型１に対して昇降する上型２の下方において、前工程から投入された加工品Ｗを該下工程の下型１の上面に位置付けるアンクランプ位置（Ｘu）で該加工品Ｗをアンクランプし、このアンクランプ位置（Ｘu）からクランプストローク方向（Ｘ）に向けて待機位置（Ｘ0）にまで移動するトランスファ動作を、プレス機から離れて模擬的に検証可能にするものである。
【００５３】
即ち、シミュレーション装置１００による実施例１のシミュレーション作業は、下記(1)乃至(3)による。
【００５４】
(1)シミュレーション装置１００が上型干渉検出定規６０を有するものとする。
上型干渉検出定規６０は、実際のプレス機におけるボルスタ上の下型１に対し、トランスファ装置の各フィードバーの長手方向に沿う水平方向視（Ｒh）に直交する検証平面（Ｆ）（図３の模式正面に対応する面）上で、各フィードバーに取付けられた各フィンガーが実際の移動軌跡（Ｍ）に沿って移動し、アンクランプ位置（Ｘu）と待機位置（Ｘ0）との間のクランプストローク位置（Ｘi）にあるときの、下型１に対する上型２の昇降位置Ｚiを、横軸に該フィンガーのクランプストローク位置（Ｘi）をとり、縦軸に上型２の昇降位置（Ｚi）をとって表わした上型干渉曲線（Ｋ）を備えるものとして作成される。
【００５５】
上型干渉検出定規６０の上型干渉曲線（Ｋ）は、例えば図４のプレスチャートに基づいて作成される。
【００５６】
i. 図４に示したプレスチャートは、プレス機の前工程におけるトランスファ装置の第１のトランスファ動作と、下工程におけるトランスファ装置の第２のトランスファ動作とが連続して行なわれる１サイクル（0度乃至360度、0度乃至180度を下工程、180度乃至360度を前工程として表わした１サイクル）において、上型２が下型１に対して上死点乃至下死点乃至上死点に昇降する昇降タイミングに応じて、トランスファ装置の各フィンガーが下工程のアンクランプ位置（Ｘu）乃至待機位置（Ｘ0）乃至前工程のクランプ位置（Ｘc）に移動する移動タイミングを相対的に示した線図である。
【００５７】
ii. 上記iのプレスチャートに基づき、トランスファ装置の各フィンガーが実際の移動軌跡（Ｍ）に沿って移動し、アンクランプ位置（Ｘu）と待機位置（Ｘ0）との間のクランプストローク位置（Ｘi）にあるときの、下型１に対する上型２の昇降位置Ｚiを、横軸に該フィンガーのクランプストローク位置（Ｘi）をとり、縦軸に上型２の昇降位置（Ｚi）をとって表わした上型干渉曲線（Ｋ）を描けば、図４に示した上型干渉曲線（Ｋ）の通りになる。
【００５８】
即ち、プレス機の１サイクルの0度位置（下工程の開始点）で、各フィンガーが実際の移動軌跡（Ｍ）のアンクランプ位置（Ｘu）にあるとき、上型２は上死点（Ｚa）にあり、各フィンガーと上型２のこの位置関係は上型干渉曲線（Ｋ）上に点Ａ（Ｘu，Ｚa）としてプロットされる。
【００５９】
次に、プレス機の１サイクルの60度位置で、各フィンガーが実際の移動軌跡（Ｍ）のアンクランプ位置（Ｘu）にあるとき、上型２は上方中間点（Ｚb）にあり、各フィンガーと上型２のこの位置関係は上型干渉曲線（Ｋ）上に点Ｂ（Ｘu，Ｚb）としてプロットされる。
【００６０】
次に、プレス機の１サイクルの130度位置で、各フィンガーが実際の移動軌跡（Ｍ）の待機位置（Ｘ0）にあるとき、上型２は下方中間点（Ｚc）にあり、各フィンガーと上型２のこの位置関係は上型干渉曲線（Ｋ）上に点Ｃ（Ｘ0，Ｚc）としてプロットされる。
【００６１】
更に、プレス機の１サイクルの180度位置（下工程の終了点）で、各フィンガーが実際の移動軌跡（Ｍ）の待機位置（Ｘ0）にあるとき、上型２は下死点（Ｚd）にあり、各フィンガーと上型２のこの位置関係は上型干渉曲線（Ｋ）上に点Ｄ（Ｘ0，Ｚd）としてプロットされる。
【００６２】
即ち、各フィンガーがクランプストローク位置（Ｘi）にあるときの、下型１に対する上型２の昇降位置（Ｚi）を、横軸に（Ｘi）をとり、縦軸に（Ｚi）をとることにより、上記Ａ乃至Ｄ点によって規定される上型干渉曲線（Ｋ）が作成されるものになる。
【００６３】
ここで、上記上型干渉曲線（Ｋ）上の点Ａ（Ｘu，Ｚa）は、各フィンガーの実際の移動軌跡（Ｍ）の基準点（Ｍ0）に対向することとなる部位（Ｋ0）として選定される。このとき、図４の上型干渉曲線（Ｋ）において、各フィンガーが基準点Ｍ0（Ｘu，Ｚa）であるアンクランプ位置（Ｘu）からクランプストローク方向（Ｘ）に（Ｘi）だけ移動した上型干渉曲線（Ｋ）上の点（Ｋi）は、上型２が下型１に対して上死点（Ｚa）から下降量（Ｚi）だけ下降したことを示すものになる。
【００６４】
(2)シミュレーション装置１００において、擬似ボルスタ１０上の下型１、上型２、各擬似フィードバー２０、各フィンガー３０が、実際のプレス機のトランスファ装置を模するように、前述したと同様のシミュレーション状態に設定される。
【００６５】
即ち、このシミュレーション状態で、２本の疑似フィードバー２０に取付けられた各フィンガー３０は、擬似ボルスタ１０上の下型１に対して実際の移動軌跡（Ｍ）に倣って移動するとしたときに、該実際の移動軌跡（Ｍ）の基準点（Ｍ0）として想定した位置を模した位置に設定される。
【００６６】
本実施例では、この基準点（Ｍ0）として、実際のプレス機におけるトランスファ装置の当該フィンガーが加工品Ｗをアンクランプするアンクランプ位置（Ｘu）が選定される（図３）。
【００６７】
(3)上型干渉検出定規６０の上型干渉曲線（Ｋ）における点Ａ（Ｘu，Ｚa）であって、各フィンガー３０の実際の移動軌跡（Ｍ）の基準点（Ｍ0）に対応することとなる部位（Ｋ0）が、上記(2)のシミュレーション状態下の各フィンガー３０（各フィンガー３０の加工品Ｗをすくい上げ及び保持する先端部であって、上型１に干渉し易い部位）に保持又は当て止めされる。本実施例では、この上型干渉検出定規６０の部位（Ｋ0）として、実際のプレス機におけるトランスファ装置の当該フィンガーが加工品Ｗをアンクランプするアンクランプ位置（Ｘu）が選定される（図３）。
【００６８】
同時に、上型干渉検出定規６０の上型干渉曲線（Ｋ）を含む平面６１が、実際のプレス機におけるトランスファ装置の上記検証平面（Ｆ）（実際のプレス機におけるトランスファ装置において各フィードバーの長手方向に沿う水平方向視（Ｒh）に直交する検証平面（Ｆ））に対応することとなる面（シミュレーション装置１００において各擬似フィードバー２０の長手方向に沿う水平方向視（Ｒh）に直交する面）（本実施例では、図３の紙面）上に配置される。
【００６９】
従って、実施例１のシミュレーション装置１００によれば以下の作用効果を奏する。
(a)上型干渉検出定規６０の上型干渉曲線（Ｋ0）上で各フィンガーの実際の移動軌跡（Ｍ）の基準点（Ｍ0）に対応することとなる部位（Ｋ0）となる点Ａ（Ｘu，Ｚa）が図３に示す如くに前記シミュレーション状態下の各フィンガー３０に保持又は当て止めされた状態で、上型干渉検出定規６０の上型干渉曲線（Ｋ）を含む平面６１に直交し、かつ擬似フィードバー２０の長手方向に沿う水平方向視（Ｒh）で、該上型干渉検出定規６０の上型干渉曲線（Ｋ）に干渉する干渉物（上型干渉検出定規６０の上型干渉曲線（Ｋ）上の各点を通って、該上型干渉曲線（Ｋ）を含む平面６１に直交する水平方向視を遮る物体）の有無を視認できる。
【００７０】
即ち、図３に示す如く、上型干渉検出定規６０の上型干渉曲線（Ｋ）上の各点Ｋi（Ｘi，Ｚi）は、フィンガー３０がアンクランプ位置（Ｘu）からクランプストローク方向（Ｘ）に（Ｘi）だけ移動した点で、上型２が下型１やフィンガー３０に対して上死点（Ｚa）から下降量Ｚiだけ下降したことを示している。このことは、換言すれば、図３に示した上型干渉検出定規６０の上型干渉曲線（Ｋ）上の点Ｋiでは、当該フィンガー３０がクランプストローク方向（Ｘ）に沿って（Ｘi）に移動したとき、このフィンガー３０が上型固定ポスト４０によって上死点に固定化されて描かれている上型２に対し、相対的には（Ｚi）だけ上昇して上型干渉曲線（Ｋ）上の点（Ｋi)に位置するようにみることができることを示している。
【００７１】
従って、各フィンガー３０と上型２の相対的な干渉の可能性について言えば、当該フィンガー３０がクランプストローク方向（Ｘ）上の（Ｘi）に位置するとき、このフィンガー３０は上死点にある上型２に対して上型干渉曲線（Ｋ）上の点（Ｋi）に位置するものとみることができ、上型２がこの上型干渉曲線（Ｋ）上の点（Ｋi）より上方に空間を介して位置し、この上型干渉曲線（Ｋ）に接していないならば、当該フィンガー３０は上型２と干渉することがないことを視認できるものになる。図３において、Ｐは、フィンガー３０の位置（Ｘi）における、フィンガー３０又は該フィンガー３０にクランプされた加工品と上型２との距離を示す。
【００７２】
これにより、実際のプレス機におけるトランスファ装置において、各フィンガーが待機位置と、クランプ位置もしくはアンクランプ位置との間でクランプストローク方向に移動し、かつ上型２が下型１に対して昇降する動作中に、該フィンガーがプレス機或いは上型２に干渉したり、或いは各工程で加工される加工品Ｗをクランプできない等を検証できる。
【００７３】
干渉物の存在が認められる場合には、各フィンガー（フィンガー３０）のフィードバー（擬似フィードバー２０）への取付位置や寸法を上型２に合わせるように変更したり、上型２やフィンガー３０の一部を削除する等が行なわれる。
【００７４】
(b)各擬似フィードバー２０に取付けられた各フィンガー３０を実際のプレス機におけるトランスファ装置と同様となる待機位置と、クランプ位置もしくはアンクランプ位置との間で移動させ、かつ上型２を実際のプレス機におけると同様に昇降させるものでなく、各フィンガー３０を移動させる第１駆動部と上型２を昇降させる昇降駆動部の少なくとも２個の駆動部を具備する必要がないから、シミュレーション装置は簡素かつ小重量化され、可搬性を向上できる。
【００７５】
(c)上型干渉検出定規６０の上型干渉曲線（Ｋ）における各フィンガー３０の実際の移動軌跡（Ｍ）の基準点（Ｍ0）に対応することとなる部位（Ｋ0）を、シミュレーション状態下の各フィンガー３０に保持し、この上型干渉検出定規６０の上型干渉曲線（Ｋ）に干渉する干渉物の有無を視認するだけで、各フィンガー３０とプレス機或いは上型２との干渉の有無を検証できる。従って、検証作業を簡易かつ短時間に行なうことができる。
【００７６】
尚、プレス機のトランスファ装置における前述した第１のトランスファ動作で、各フィンガが、前工程のボルスタ上の下型１に対して昇降する上型２の下方において、待機位置（Ｘ0）からクランプ位置（Ｘc）まで移動して加工品Ｗをクランプするトランスファ動作についても、上記実施例１における上型干渉検出定規６０と実質的に同様の上型干渉検出定規７０（不図示）を用いることにより、プレス機から離れて模擬的に検証可能にすることができる。
【００７７】
（実施例２）（図６）
プレス機のトランスファ装置における前述した第１のトランスファ動作と第２のトランスファ動作に渡り、各フィンガーが、ボルスタ上の下型１に対して昇降する上型２の下方で、該下型１の上面に位置する加工品Ｗを当該加工品Ｗに対するクランプ位置（Ｘc）でクランプし、該加工品Ｗをフィードストローク方向（Ｙ）とリフトアップ方向（Ｕ）とを含む送り方向に沿って下工程への排出位置（Ｙa）に移動するトランスファ動作と、或いは前工程からの投入位置（Ｙb）でクランプ状態にある加工品Ｗをフィードストローク方向（Ｙ）とリフトダウン方向（Ｌ）とを含む送り方向に沿って移動して該加工品Ｗを該下型１の上面に位置付け、該加工品Ｗを当該加工品Ｗに対するアンクランプ位置（Ｘu）でアンクランプするトランスファ動作については、実施例１における上型干渉検出定規６０に代わる以下の上型干渉検出定規８０を用いることにより、プレス機から離れて模擬的に検証可能にすることができる。
【００７８】
即ち、上型干渉検出定規８０として、実際のプレス機におけるボルスタ上の下型１に対し、トランスファ装置の各フィードバーの長手方向に直交する水平方向視に直交する検証平面（Ｆ）上で、各フィンガー又は該フィンガー３０にクランプされた加工品が実際の移動軌跡（Ｍ）に沿って移動し、クランプ位置（Ｘc）と排出位置（Ｙa）との間のフィードストローク位置（Ｙi）にあり、或いは投入位置（Ｙb）とアンクランプ位置（Ｘu）との間のフィードストローク位置（Ｙi）にあるときの、下型１に対する上型２の昇降位置（Ｚi）を、横軸にクランプストローク位置（Ｙi）をとり、縦軸に上型２の昇降位置（Ｚi）をとって表わした上型干渉曲線（Ｋ）を備えたものを用いる。そして、２本の擬似フィードバー２０に取付けられた各フィンガー３０が、擬似ボルスタ１０上の下型１に対して実際の移動軌跡（Ｍ）に倣って移動するときに、該実際の移動軌跡（Ｍ）の基準点（Ｍ0）となる位置を模した位置に設定される。各フィンガー３０又は該フィンガー３０にクランプされた加工品が上記実際の移動軌跡（Ｍ）の基準点（Ｍ0）となる位置を模した位置に設定されるシミュレーション状態下で、上型干渉検出定規８０の上型干渉曲線（Ｋ）における各フィンガー又は該フィンガー３０にクランプされた加工品の実際の移動軌跡（Ｍ）の基準点（Ｍ0）に対応することとなる部位（Ｋ0）が上記シミュレーション状態下の各フィンガー又は該フィンガー３０にクランプされた加工品に保持又は当て止めされ、かつ該上型干渉検出定規８０の上型干渉曲線（Ｋ）を含む平面８１（不図示）が実際のプレス機におけるトランスファ装置の上記検証平面（Ｆ）に対応することとなる面上に配置される。この上型干渉検出定規８０の上型干渉曲線（Ｋ）を含む平面８１に直交し、かつ擬似フィードバー２０の長手方向に直交する水平方向視で、該上型干渉検出定規８０の上型干渉曲線（Ｋ）に干渉する干渉物の有無を視認できる。図６において、Ｐは、フィンガー３０の位置（Ｙi）における、フィンガー３０又は該フィンガー３０にクランプされた加工品と上型２との距離を示す。
【００７９】
これにより、実際のプレス機におけるトランスファ装置において、各フィンガー又は該フィンガー３０にクランプされた加工品がクランプ位置（Ｘc）と排出位置（Ｙa）との間、或いは投入位置（Ｙb）とアンクランプ位置（Ｘu）との間でフィードストローク方向（Ｙ）とリフトアップ方向（Ｕ）もしくはリフトダウン方向（Ｌ）に移動し、かつ上型２が下型１に対して昇降する動作中に、該フィンガー又は該フィンガー３０にクランプされた加工品がプレス機或いは上型２に干渉したり、或いは各工程で加工される加工品を所定位置に搬送することができない等を検証できる。
【００８０】
ここで、上型干渉検出定規５０乃至８０は、例えば図５の上型干渉検出定規６０に示す如く、上型干渉曲線（Ｋ）上の各点（Ｋ0，Ｋ1，Ｋ2…Ｋi）から、該上型干渉検出定規６０の上型干渉曲線（Ｋ）を含む平面６１に直交する方向に直進して拡がらない検出光（レーザー光等）を投射させる検出光投射装置９０を備えることができる。検出光投射装置９０は上型干渉曲線（Ｋ）上の各点に投光部９０ｉを有する。
【００８１】
以上、本発明の実施例を図面により詳述したが、本発明の具体的な構成はこの実施例に限られるものではなく、本発明の要旨を逸脱しない範囲の設計の変更等があっても本発明に含まれる。
【産業上の利用可能性】
【００８２】
本発明によれば、トランスファフィンガー用シミュレーション装置において、簡素かつ小重量化し、可搬性を向上させるとともに、各フィンガーとプレス機或いは上型との干渉の有無を簡易かつ短時間に検証することができる。
【符号の説明】
【００８３】
１  下型
２  上型
１０  擬似ボルスタ
２０  擬似フィードバー
３０  フィンガー
４０  上型固定ポスト
５０乃至８０  上型干渉検出定規
９０  検出光照射装置
Ｆ  検証平面
Ｋ  上型干渉曲線
Ｋ0  部位
Ｍ  移動軌跡
Ｍ0  基準点
【図１】
2017136637.tif 000003
【図２】
2017136637.tif 000004
【図３】
2017136637.tif 000005
【図４】
2017136637.tif 000006
【図５】
2017136637.tif 000007
【図６】
2017136637.tif 000008
【手続補正書】
【提出日】平成29年2月17日(2017.2.17)
【手続補正１】
【補正対象書類名】特許請求の範囲
【補正対象項目名】全文
【補正方法】変更
【補正の内容】
【特許請求の範囲】
【請求項１】
プレス機に設置されるトランスファ装置の一対のフィードバーに取付けられた各フィンガーが、ボルスタ上の下型に対して昇降する上型の下方で、該下型の上面に位置する加工品に対する待機位置と、該加工品をクランプするクランプ位置もしくは該加工品をアンクランプするアンクランプ位置との間でクランプストローク方向に移動するトランスファ動作を、プレス機から離れて模擬的に検証可能にするトランスファフィンガー用シミュレーション装置であって、
下型がセットされる擬似ボルスタと、
上型と下型の間に介装され、上型を下型に対する昇降ストロークの上死点側の一定位置にセットする上型固定ポストと、
擬似ボルスタの上部に互いに平行に配置され、かつ互いに接近又は離隔する方向へ移動可能に配置される２本の擬似フィードバーと、
実際のプレス機におけるボルスタ上の下型に対し、トランスファ装置の各フィードバーの長手方向に沿う水平方向視に直交する検証平面上で、トランスファ装置の各フィードバーに取付けられた各フィンガーが実際の移動軌跡に沿って移動し、待機位置と、クランプ位置もしくはアンクランプ位置との間のクランプストローク位置にあるときの、下型に対する上型の昇降位置を、横軸に該フィンガーのクランプストローク位置をとり、縦軸に上型の昇降位置をとって表わした上型干渉曲線を備えた上型干渉検出定規とを有し、
２本の擬似フィードバーに取付けられた各フィンガーが、擬似ボルスタ上の下型に対して実際の移動軌跡に倣って移動するとしたときに、該実際の移動軌跡の基準点となる位置を模した位置に設定されるシミュレーション状態下で、
前記上型干渉検出定規の上型干渉曲線における各フィンガーの実際の移動軌跡の基準点に対応することとなる部位が上記シミュレーション状態下の各フィンガーに保持され、かつ該上型干渉検出定規の上型干渉曲線を含む平面が実際のプレス機におけるトランスファ装置の上記検証平面に対応することとなる面上に配置されてなるトランスファフィンガー用シミュレーション装置。
【請求項２】
プレス機に設置されるトランスファ装置の一対のフィードバーに取付けられた各フィンガーが、ボルスタ上の下型に対して昇降する上型の下方で、該下型の上面に位置する加工品を当該加工品に対するクランプ位置でクランプし、該加工品をフィードストローク方向とリフトアップ方向とを含む送り方向に沿って下工程への排出位置に移動するトランスファ動作と、或いは前工程からの投入位置でクランプ状態にある加工品をフィードストローク方向とリフトダウン方向とを含む送り方向に沿って移動して該加工品を該下型の上面に位置付け、該加工品を当該加工品に対するアンクランプ位置でアンクランプするトランスファ動作とを、プレス機から離れて模擬的に検証可能にするトランスファフィンガー用シミュレーション装置であって、
下型がセットされる擬似ボルスタと、
上型と下型の間に介装され、上型を下型に対する昇降ストロークの上死点側の一定位置にセットする上型固定ポストと、
擬似ボルスタの上部に互いに平行に配置され、かつ互いに接近又は離隔する方向へ移動可能に配置される２本の擬似フィードバーと、
実際のプレス機におけるボルスタ上の下型に対し、トランスファ装置の各フィードバーの長手方向に直交する水平方向視に直交する検証平面上で、トランスファ装置の各フィードバーに取付けられた各フィンガーが実際の移動軌跡に沿って移動し、クランプ位置と排出位置との間のフィードストローク位置にあり、或いは投入位置とアンクランプ位置との間のフィードストローク位置にあるときの、下型に対する上型の昇降位置を、横軸に該フィンガーのフィードストローク位置をとり、縦軸に上型の昇降位置をとって表わした上型干渉曲線を備えた上型干渉検出定規とを有し、
２本の擬似フィードバーに取付けられた各フィンガーが、擬似ボルスタ上の下型に対して実際の移動軌跡に倣って移動するとしたときに、該実際の移動軌跡の基準点となる位置を模した位置に設定されるシミュレーション状態下で、
前記上型干渉検出定規の上型干渉曲線における各フィンガーの実際の移動軌跡の基準点に対応することとなる部位が上記シミュレーション状態下の各フィンガーに保持され、かつ該上型干渉検出定規の上型干渉曲線を含む平面が実際のプレス機におけるトランスファ装置の上記検証平面に対応することとなる面上に配置されてなるトランスファフィンガー用シミュレーション装置。
【手続補正２】
【補正対象書類名】明細書
【補正対象項目名】００１０
【補正方法】削除
【補正の内容】
【手続補正３】
【補正対象書類名】明細書
【補正対象項目名】００１１
【補正方法】変更
【補正の内容】
【００１１】
請求項１に係る発明は、プレス機に設置されるトランスファ装置の一対のフィードバーに取付けられた各フィンガーが、ボルスタ上の下型に対して昇降する上型の下方で、該下型の上面に位置する加工品に対する待機位置と、該加工品をクランプするクランプ位置もしくは該加工品をアンクランプするアンクランプ位置との間でクランプストローク方向に移動するトランスファ動作を、プレス機から離れて模擬的に検証可能にするトランスファフィンガー用シミュレーション装置であって、下型がセットされる擬似ボルスタと、上型と下型の間に介装され、上型を下型に対する昇降ストロークの上死点側の一定位置にセットする上型固定ポストと、擬似ボルスタの上部に互いに平行に配置され、かつ互いに接近又は離隔する方向へ移動可能に配置される２本の擬似フィードバーと、実際のプレス機におけるボルスタ上の下型に対し、トランスファ装置の各フィードバーの長手方向に沿う水平方向視に直交する検証平面上で、トランスファ装置の各フィードバーに取付けられた各フィンガーが実際の移動軌跡に沿って移動し、待機位置と、クランプ位置もしくはアンクランプ位置との間のクランプストローク位置にあるときの、下型に対する上型の昇降位置を、横軸に該フィンガーのクランプストローク位置をとり、縦軸に上型の昇降位置をとって表わした上型干渉曲線を備えた上型干渉検出定規とを有し、２本の擬似フィードバーに取付けられた各フィンガーが、擬似ボルスタ上の下型に対して実際の移動軌跡に倣って移動するとしたときに、該実際の移動軌跡の基準点となる位置を模した位置に設定されるシミュレーション状態下で、前記上型干渉検出定規の上型干渉曲線における各フィンガーの実際の移動軌跡の基準点に対応することとなる部位が上記シミュレーション状態下の各フィンガーに保持され、かつ該上型干渉検出定規の上型干渉曲線を含む平面が実際のプレス機におけるトランスファ装置の上記検証平面に対応することとなる面上に配置されてなるようにしたものである。
【手続補正４】
【補正対象書類名】明細書
【補正対象項目名】００１２
【補正方法】変更
【補正の内容】
【００１２】
請求項２に係る発明は、プレス機に設置されるトランスファ装置の一対のフィードバーに取付けられた各フィンガーが、ボルスタ上の下型に対して昇降する上型の下方で、該下型の上面に位置する加工品を当該加工品に対するクランプ位置でクランプし、該加工品をフィードストローク方向とリフトアップ方向とを含む送り方向に沿って下工程への排出位置に移動するトランスファ動作と、或いは前工程からの投入位置でクランプ状態にある加工品をフィードストローク方向とリフトダウン方向とを含む送り方向に沿って移動して該加工品を該下型の上面に位置付け、該加工品を当該加工品に対するアンクランプ位置でアンクランプするトランスファ動作とを、プレス機から離れて模擬的に検証可能にするトランスファフィンガー用シミュレーション装置であって、下型がセットされる擬似ボルスタと、上型と下型の間に介装され、上型を下型に対する昇降ストロークの上死点側の一定位置にセットする上型固定ポストと、擬似ボルスタの上部に互いに平行に配置され、かつ互いに接近又は離隔する方向へ移動可能に配置される２本の擬似フィードバーと、実際のプレス機におけるボルスタ上の下型に対し、トランスファ装置の各フィードバーの長手方向に直交する水平方向視に直交する検証平面上で、トランスファ装置の各フィードバーに取付けられた各フィンガーが実際の移動軌跡に沿って移動し、クランプ位置と排出位置との間のフィードストローク位置にあり、或いは投入位置とアンクランプ位置との間のフィードストローク位置にあるときの、下型に対する上型の昇降位置を、横軸に該フィンガーのフィードストローク位置をとり、縦軸に上型の昇降位置をとって表わした上型干渉曲線を備えた上型干渉検出定規とを有し、２本の擬似フィードバーに取付けられた各フィンガーが、擬似ボルスタ上の下型に対して実際の移動軌跡に倣って移動するとしたときに、該実際の移動軌跡の基準点となる位置を模した位置に設定されるシミュレーション状態下で、前記上型干渉検出定規の上型干渉曲線における各フィンガーの実際の移動軌跡の基準点に対応することとなる部位が上記シミュレーション状態下の各フィンガーに保持され、かつ該上型干渉検出定規の上型干渉曲線を含む平面が実際のプレス機におけるトランスファ装置の上記検証平面に対応することとなる面上に配置されてなるようにしたものである。
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】変更
【補正の内容】
【００１８】
（請求項１）
(a)上型干渉検出定規の上型干渉曲線を含む平面に直交し、かつ擬似フィードバーの長手方向に沿う水平方向視で、該上型干渉検出定規の上型干渉曲線に干渉する干渉物の有無を視認できる。これにより、実際のプレス機におけるトランスファ装置において、各フィンガーが待機位置と、クランプ位置もしくはアンクランプ位置との間でクランプストローク方向に移動し、かつ上型が下型に対して昇降する動作中に、該フィンガーがプレス機或いは上型に干渉したり、或いは各工程で加工される加工品をクランプできない等を検証できる。
【手続補正１１】
【補正対象書類名】明細書
【補正対象項目名】００２０
【補正方法】変更
【補正の内容】
【００２０】
(b)各擬似フィードバーに取付けられた各フィンガーを実際のプレス機におけるトランスファ装置と同様となる待機位置と、クランプ位置もしくはアンクランプ位置との間で移動させ、かつ上型を実際のプレス機におけると同様に昇降させるものでなく、各フィンガーを移動させる第１駆動部と上型を昇降させる昇降駆動部の少なくとも２個の駆動部を具備する必要がないから、シミュレーション装置は簡素かつ小重量化され、可搬性を向上できる。
【手続補正１２】
【補正対象書類名】明細書
【補正対象項目名】００２１
【補正方法】変更
【補正の内容】
【００２１】
(c)上型干渉検出定規の上型干渉曲線における各フィンガーの実際の移動軌跡の基準点に対応することとなる部位を、シミュレーション状態下の各フィンガーに保持し、この上型干渉検出定規の上型干渉曲線に干渉する干渉物の有無を視認するだけで、各フィンガーとプレス機或いは上型との干渉の有無を検証できる。従って、検証作業を簡易かつ短時間に行なうことができる。
【手続補正１３】
【補正対象書類名】明細書
【補正対象項目名】００２２
【補正方法】変更
【補正の内容】
【００２２】
（請求項２）
(d)上型干渉検出定規の上型干渉曲線を含む平面に直交し、かつ擬似フィードバーの長手方向に直交する水平方向視で、該上型干渉検出定規の上型干渉曲線に干渉する干渉物の有無を視認できる。これにより、実際のプレス機におけるトランスファ装置において、各フィンガー又は該フィンガーにクランプされた加工品がクランプ位置と排出位置との間、或いは投入位置とアンクランプ位置との間でフィードストローク方向とリフトアップ方向に移動し、かつ上型が下型に対して昇降する動作中に、該フィンガー又は該フィンガーにクランプされた加工品がプレス機或いは上型に干渉したり、或いは各工程で加工される加工品を所定位置に搬送することができない等を検証できる。
【手続補正１４】
【補正対象書類名】明細書
【補正対象項目名】００２４
【補正方法】変更
【補正の内容】
【００２４】
(e)各擬似フィードバーに取付けられた各フィンガー又は該フィンガーにクランプされた加工品を実際のプレス機におけるトランスファ装置と同様となるクランプ位置と排出位置との間、或いは投入位置とアンクランプ位置との間で移動させ、かつ上型を実際のプレス機におけると同様に昇降させるものでなく、各フィンガーを移動させる第２駆動部及び第３駆動部と、上型を昇降させる昇降駆動部の少なくとも３個の駆動部を具備する必要がないから、シミュレーション装置は簡素かつ小重量化され、可搬性を向上できる。
【手続補正１５】
【補正対象書類名】明細書
【補正対象項目名】００２５
【補正方法】変更
【補正の内容】
【００２５】
(f)上型干渉検出定規の上型干渉曲線における各フィンガー又は該フィンガーにクランプされた加工品の実際の移動軌跡の基準点に対応することとなる部位を、シミュレーション状態下の各フィンガー又は該フィンガーにクランプされた加工品に保持又は当て止めし、この上型干渉検出定規の上型干渉曲線に干渉する干渉物の有無を視認するだけで、各フィンガー又は該フィンガーにクランプされた加工品とプレス機或いは上型との干渉の有無を検証できる。従って、検証作業を簡易かつ短時間に行なうことができる。
【手続補正１６】
【補正対象書類名】明細書
【補正対象項目名】００２６
【補正方法】削除
【補正の内容】
【手続補正１７】
【補正対象書類名】明細書
【補正対象項目名】００２７
【補正方法】変更
【補正の内容】
【００２７】
【図１】図１はシミュレーション装置を示す模式斜視図である。
【図２】図２は下型と上型を配置したシミュレーション装置の擬似フィードバーの長手方向に沿う水平方向視の模式正面図である。
【図３】図３は下型と上型を配置したシミュレーション装置において擬似フィードバーの長手方向に沿う水平方向視に直交する検証平面上に、下工程の加工品アンクランプ位置からクランプストローク方向に沿って待機位置へ移動するフィンガーの上型との干渉の有無を検証する上型干渉曲線を備えた上型干渉検出定規を配置して示す模式正面図である。
【図４】図４はプレス機の１サイクルにおけるフィンガーのクランプストロークと上型の昇降ストロークの相対関係を表わしたプレスチャートに基づいて作成した上型干渉曲線を示す線図である。
【図５】図５は下型と上型を配置したシミュレーション装置において擬似フィードバーの長手方向に直交する水平方向視に直交する検証平面上に、前工程のクランプ位置（Ｘc）と排出位置（Ｙa）との間、或いは下工程の投入位置（Ｙb）とアンクランプ位置（Ｘu）との間でフィードストローク方向（Ｙ）とリフトアップ方向（Ｕ）もしくはリフトダウン方向（Ｌ）に移動し、かつ上型２が下型１に対して昇降する動作中における、フィンガーの上型との干渉の有無を検証する上型干渉曲線を備えた上型干渉検出定規を配置して示す模式正面図である。
【手続補正１８】
【補正対象書類名】明細書
【補正対象項目名】００７７
【補正方法】変更
【補正の内容】
【００７７】
（実施例２）（図５）
プレス機のトランスファ装置における前述した第１のトランスファ動作と第２のトランスファ動作に渡り、各フィンガーが、ボルスタ上の下型１に対して昇降する上型２の下方で、該下型１の上面に位置する加工品Ｗを当該加工品Ｗに対するクランプ位置（Ｘc）でクランプし、該加工品Ｗをフィードストローク方向（Ｙ）とリフトアップ方向（Ｕ）とを含む送り方向に沿って下工程への排出位置（Ｙa）に移動するトランスファ動作と、或いは前工程からの投入位置（Ｙb）でクランプ状態にある加工品Ｗをフィードストローク方向（Ｙ）とリフトダウン方向（Ｌ）とを含む送り方向に沿って移動して該加工品Ｗを該下型１の上面に位置付け、該加工品Ｗを当該加工品Ｗに対するアンクランプ位置（Ｘu）でアンクランプするトランスファ動作については、実施例１における上型干渉検出定規６０に代わる以下の上型干渉検出定規８０を用いることにより、プレス機から離れて模擬的に検証可能にすることができる。
【手続補正１９】
【補正対象書類名】明細書
【補正対象項目名】００８０
【補正方法】削除
【補正の内容】
【手続補正２０】
【補正対象書類名】明細書
【補正対象項目名】００８３
【補正方法】変更
【補正の内容】
【００８３】
１  下型
２  上型
１０  擬似ボルスタ
２０  擬似フィードバー
３０  フィンガー
４０  上型固定ポスト
５０乃至８０  上型干渉検出定規
Ｆ  検証平面
Ｋ  上型干渉曲線
Ｋ0  部位
Ｍ  移動軌跡
Ｍ0  基準点
【手続補正２１】
【補正対象書類名】図面
【補正対象項目名】図５
【補正方法】変更
【補正の内容】
【図５】
2017136637.tif 000009
【手続補正２２】
【補正対象書類名】図面
【補正対象項目名】図６
【補正方法】削除
【補正の内容】